(57)【要約】【課題】  紐状のブレスレットなどにあってこれを手首などに巻装し、その末端を連結したとき、手首の激しい振動でも、ブレスレットなどが、手首から外れない工夫をなした装身具の止め金を提供すること。【解決手段】  板ばね材と、コイルばね材と、瓢箪形のばね材の三者と、雌止め金具の切り込みと、雄止め金具の摘子からなる。【選択図】図１
2005052297.tif 000002
【特許請求の範囲】
【請求項１】
紐状の装身具本体の一端には雄止め金具部材を、他端には雌止め金具部材を設け、雄止め金具部材を雌止め金具部材に嵌合させて両者を連結させる止め金具本体に於いて、
雄止め金具部材は、板ばね材を偏平な『く』字形に折り曲げ、その下辺の開放部内端は、上方に押圧するコイルばねを内装した収容部を有し、上記ばねの上端は『く』字形板ばね材の上辺開放部内端を押圧し、かつ上記コイルばねは板ばね材の上辺を貫通してその上方に突出する摘子を設け、
さらに上記コイルばね収容部の一側は、水平方向に横倒させた瓢箪形形状のばね材で形造した補助ばね材を枢着し、
雌止め金具部材は、上記雄止め金具部材をその折り曲げ部から挿入できる断面『ロ』字形状で、その雌止め金具の挿入口端部の上辺は上記コイルばねの上端に設けた摘子が嵌合される切込みを有し、
その一側面の適宜位置には上記補助ばね部材を嵌合し固定できる係合突起を設けたこと
を特徴とする装身具の止め金具。
【発明の詳細な説明】
【技術分野】
【０００１】
本発明は、ブレスレット、ネックレス、アンクレット等の装身具の止め金に関する。
【背景技術】
【０００２】
上記のようなブレスレットは、通常一本の紐状でその一端に雄止め金具を、他端に雌止め金具を設けて、それぞれの金具を連結することで環状となしている。
【０００３】
而して、この連結手段として従来から『く』字状のばね部材を用いたもの（特許文献１及び２参照）や、上記のような補助ばね部材を用いるものは知られているが、未だ雄雌止め金具の連結部分の固着が確実に行われず、手足の激しい運動で知らない間に、その連結部分が外れ遺失してしまう欠点があった。
【特許文献１】実開昭６３−１８５６１７号（図面）
【特許文献２】実開昭６１−１８７５１７号（図面）
【発明の開示】
【発明が解決しようとする課題】
【０００４】
この発明は、紐状のブレスレットなどにあってこれを手首などに巻装し、その末端を連結したとき、手首の激しい振動でもブレスレットなどが手首から外れない工夫をなした装身具の止め金を提供するにある。
【課題を解決するための手段】
【０００５】
而して本発明の特徴の一つは、紐状の装身具本体の一端には雄止め金具部材を、他端には雌止め金具部材を設け、雄止め金具部材を雌止め金具部材に嵌合させて両者を連結させる止め金具本体に於いて、雄止め金具部材は、板ばね材を偏平な『く』字形に折り曲げ、これを『ロ』字形状の雌止め金具部材に挿入して固定するようにしたから、上記『く』字状の板ばね材のばね力で、雄雌止め金具部材の連結が確実なものとすることが出来たのである。
【０００６】
また上記板ばね材の開放部の下辺内端には、上方に押圧するコイルばねがあり、板ばね材の上辺内端部を常に押圧するようにしたから、雄雌止め金具部材の連結の持続が確実に行われるのである。
【０００７】
さらに雌止め金具の挿入口端部には、上記雄止め金具部材コイルばねに設けた摘子が嵌合できる切り込みがあり、雄雌止め金具部材の連結時は、上記切り込みに摘子が嵌合されるから、仮令装身具本体が激しい振動で回転方向の運動が働いても、その力は雄雌止め金具部材の連結部分には支障がないようにしたものである。
【０００８】
そして一端を雄止め金具部材に、他端を雌止め金具部材に設けた係合突起に係合させた瓢箪形のばね材を有することで、結果本発明は上記板ばね材と，コイルばね材と，瓢箪形のばね材の三者と，雌止め金具の切り込みと、雄止め金具の摘子の嵌合とのそれぞれの相乗作用で、雄雌止め金具は激しい振動でもその連結状態を保ち、外れる虞れはほとんどない装身具の止め金を提供できたのである。
【発明の効果】
【０００９】
以上、本発明は装身具本体の雄雌それぞれの止め金具部材本体が外れる虞を未然に防止できたのである。
【実施例１】
【００１０】
次に本発明に於ける装身具の止め金具本体（１）の一実施例を述べると、（２）は雄止め金具部材、（３）は雌止め金具部材、（４）は一端を上記雄止め金具部材（２）に、他端を雌止め金具部材（３）に連結固定させた装身具本体である。
【００１１】
而して雄止め金具部材（２）は、板ばね材（５）を偏平な『く』字形に折り曲げ（６）し、この板ばね材（５）の下辺（７）の開放部（８）の内端は、円筒状の収容部（１０）があり、上方にその押し圧力が常に発生しているコイルばね（９）が内装されている。
【００１２】
このコイルばね（９）の上端は、その周囲が上記板ばね材（５）の上辺（１１）の内端部で接し、常時は該板ばね材（５）の上辺（１１）を上方に押圧している。
【００１３】
また、上記コイルばね（９）の上端には、板ばね材（５）の上辺（１１）を貫通して、該上辺（１１）上に突出する摘子（１２）がある。
【００１４】
さらに、上記コイルばね（９）の収容部（１０）の一側には、瓢箪形のばね材（１３）の下辺部が枢着されている。なおこのばね材（１３）は図１で見られるように、瓢箪の輪部を模した形状で垂直な横倒しの状態で配されている。
【００１５】
上記雌止め金具部材（３）は、上記雄止め金具部材（２）に於ける板ばね材（５）の長さと略同一の長さの四角形筒状で、その一端に上記板ばね材（５）を密に挿入できる開放口（１４）がある。
【００１６】
この雌金具部材（３）の上辺（１５）の一端にはその一部が上記開放口（１４）に開放された切込み（１６）があって、この切込み（１６）には上記雄止め金具部材（２）の摘子（１２）が嵌入できるようになっている。
【００１７】
さらに、この雌止め金具部材（３）の一側には外方向に突出させた係合突起（１７）があって、この突起（１７）は雄止め金具部材（２）の板ばね材（５）が雌止め金具部材（３）に挿入されたとき、板ばね材（５）にあるばね材（１３）の先端部（１８）をこの係合突起（１７）に係合させることができる。
【００１８】
而して、今装身具本体（４）を手首に巻装し、雄止め金具部材（２）の板ばね材（５）を、雌止め金具部材（３）の開放口（１４）から挿入し、雄止め金具部材（２）の摘子（１２）を、雌止め金具部材（３）の切り込み（１６）に嵌合させる。
【００１９】
次いで、雄止め金具部材（２）の瓢箪形ばね材（１３）の先端部（１８）を、雌止め金具部材（３）の係合突起（１７）に係合させる。
【００２０】
この結果、上記雄止め金具部材（２）のコイルばね（９）は、板ばね材（５）の上辺（１１）を常に上方に押圧するので、雄雌両止め金具部材（２）（３）の嵌合が常に弾力性を持って密着されるから、装身具本体（４）激しい振動でも両者の結合が外れる虞れがないものである。
【００２１】
また、この実施例では、雄止め金具部材（２）の摘子（１２）を雌止め金具部材（３）の切り込み（１６）に嵌合させたこと、及び瓢箪形のばね材（１３）を雌止め金具部材（３）の係合突起（１７）に係合させたから、装身具本体（４）の激しい振動による雄雌の各々の止め金具部材（２）（３）に外される方向の力や、それぞれに相反する方向の回転運動が加わった場合でも、それぞれの連結部が外れたり、損傷したりする虞がほとんどないのである。
【図面の簡単な説明】
【００２２】
【図１】雄止め金具部材と、雌止め金具部材のそれぞれの斜視図。
【図２】雄及び雌止め金具部材が連結された状態の縦断面図。
【符号の説明】
【００２３】
１    止め金具本体
２    雄止め金具部材
３    雌止め金具部材
４    装身具本体
５    板ばね材
６    折り曲げ
７    下辺
８    開放部
９    コイルばね
１０  収容部
１１  上辺
１２  摘子
１３  ばね材
１４  開放口
１５  上辺
１６  切込み
１７  係合突起
１８  先端部
【図１】
2005052297.tif 000003
【図２】
2005052297.tif 000004